(57)【特許請求の範囲】
【請求項１】
頭部に装着可能なヘッドホン装置であって、一対の挟圧アーム(２)(２)を互いに連結して、後頭部を包囲すべきＵ字状のネックバンド(20)を構成し、一対の挟圧アーム(２)(２)の両端部は両耳の上方を通過して、両耳から離れる方向へ両耳よりも顔面側へ突出し、その突出した部分によって頭部を両側から挟圧すべき弾性挟圧部(21)(21)が構成され、ネックバンド(20)には、左右一対のイヤーホン(３)(３)が連結されているヘッドホン装置。
【請求項２】
一対の挟圧アーム(２)(２)の連結部には、オーディオ信号の再生が可能なプレーヤ本体部(１)が設けられて、該プレーヤ本体部(１)から一対のイヤーホン(３)(３)へオーディオ信号が供給される請求項１に記載のヘッドホン装置。
【請求項３】
伸縮性を有して頭部全体を包囲する環状のヘッドバンド(４)を具え、該ヘッドバンド(４)に前記ネックバンド(20)が収容されている請求項１又は請求項２に記載のヘッドホン装置。
【発明の詳細な説明】
【０００１】
【発明の属する技術分野】
本発明は、頭部に装着して音声を聞くためのヘッドホン装置に関するものである。
【０００２】
【従来の技術】
従来、オーディオプレーヤによって再生されるステレオオーディオ信号を音声として聞くために、図４に示す如く、ヘッドバンド(６)の両端部に一対のイヤーカバー(５)(５)を具えたヘッドホンが広く普及しているが、該ヘッドホンを頭部に装着することによって、頭髪が乱れる欠点がある。
そこで、図５に示す如く、耳に引っかけることが可能なハンガー(８)にイヤーカバー(７)を取り付けて構成されるヘッドホンが開発されている。該ヘッドホンにおいては、ヘッドバンドが省略されているので、頭髪が乱れることはない。
【０００３】
【発明が解決しようとする課題】
ところで、近年、オーディオデータを記憶したメモリや、該メモリからオーディオデータを読み出して音声を再生する音声再生回路等を内蔵したヘッドホン式のオーディオプレーヤ(ソリッドステートオーディオプレーヤ)が開発されている。この種のヘッドホン式オーディオプレーヤにおいては、メモリや音声再生回路等からなるプレーヤ本体部の重量が加わるため、従来のヘッドホンよりも重いものとなる。
【０００４】
図４に示すヘッドバンドを具えたヘッドホンにプレーヤ本体部を設けて、頭部に装着可能なヘッドホン式オーディオプレーヤを構成する場合には、ヘッドバンド(６)によってプレーヤ本体部の重量を支えることが出来るが、頭髪が乱れる問題がある。
一方、図５に示すハンガーを具えたヘッドホンにプレーヤ本体部を設けて、頭部に装着可能なヘッドホン式オーディオプレーヤを構成する場合には、プレーヤ本体部の重量が耳に加わることとなって、長時間の装着により耳が痛くなる問題が発生する。
【０００５】
そこで本発明の目的は、長時間の装着によっても耳が痛くなることのないヘッドホン装置を提供することである。
【０００８】
【課題を解決する為の手段】
本発明に係るヘッドホン装置は、一対の挟圧アーム(２)(２)を互いに連結して、後頭部を包囲すべきＵ字状のネックバンド(20)を構成し、一対の挟圧アーム(２)(２)の両端部は両耳の上方を通過して、両耳から離れる方向へ両耳よりも顔面側へ突出し、その突出した部分によって頭部を両側から挟圧すべき弾性挟圧部(21)(21)が構成され、ネックバンド(20)には、左右一対のイヤーホン(３)(３)が連結されている。
【０００９】
上記本発明のヘッドホン装置においては、一対の挟圧アーム(２)(２)の両端部が頭部を両側から挟圧して、装置の重量が頭部によって受け止められるので、耳に負担がかかることはない。又、バンドは、後頭部から両耳の上方を通過して伸び、両耳の近傍で終端しているので、頭髪が乱れることはない。
【００１０】
具体的構成において、一対の挟圧アーム(２)(２)の連結部には、オーディオ信号の再生が可能なプレーヤ本体部(１)が設けられて、該プレーヤ本体部(１)から一対のイヤーホン(３)(３)へオーディオ信号が供給される。
これによって、ヘッドホン式のオーディオプレーヤが構成される。この場合においても、装置の重量が耳に作用することはないので、耳が痛くなる虞れはない。
【００１１】
【発明の効果】
本発明に係るヘッドホン装置によれば、装置の重量が耳に作用することはないので、長時間の装着によっても耳が痛くなる虞れはない。
【００１２】
【発明の実施の形態】
以下、本発明をヘッドホン式のオーディオプレーヤに実施した形態につき、図面に沿って具体的に説明する。
本発明に係るオーディオプレーヤは、図１に示す如く、合成樹脂製の一対の挟圧アーム(２)(２)を互いに連結して、後頭部を包囲すべきＵ字状のネックバンド(20)を形成すると共に、一対の挟圧アーム(２)(２)の連結部にプレーヤ本体部(１)を設けて構成されている。
プレーヤ本体部(１)には、音声の再生等を指令するための操作ボタン(11)が配備されている。又、両挟圧アーム(２)(２)の両端部にはそれぞれ、支持アーム(31)を介してイヤーホン(３)(３)が突設されている。
【００１３】
図２は、上記オーディオプレーヤを頭部に装着した状態を表わしている。図示の如く、一対の挟圧アーム(２)(２)は後頭部を包囲し、その両端部は両耳の上方を通過して、両耳よりも顔面側へ突出し、該突出部によって頭部を両側から挟圧すべき弾性挟圧部(21)(21)を構成している。
【００１４】
上記本発明のオーディオプレーヤにおいては、一対の挟圧アーム(２)(２)の弾性挟圧部(21)(21)が頭部を挟圧することによって、プレーヤ本体部(１)の重量が支えられているので、耳への負担が殆どなく、長時間の装着によっても耳が痛くなることはない。
又、一対の挟圧アーム(２)(２)は、後頭部を包囲するネックバンド(20)を構成しているので、頭髪が乱れることはない。
【００１５】
図３に示すオーディオプレーヤは、伸縮性を有して頭部全体を包囲する環状のヘッドバンド(４)に、上述のネックバンド(20)を収容したものである。又、一対の挟圧アーム(２)(２)にはそれぞれ、コード(32)を介してイヤーホン(３)が連結されている。
該オーディオプレーヤによれば、ヘッドバンド(４)を頭部に装着することによって、該ヘッドバンド(４)が頭部全体を挟圧して、プレーヤ本体部(１)の重量を支えるので、図１及び図２に示すオーディオプレーヤに比べて、挟圧アーム(２)(２)による挟圧力を緩和することが出来、これによってユーザの負担が更に軽減される。
【００１６】
尚、本発明の各部構成は上記実施の形態に限らず、特許請求の範囲に記載の技術的範囲内で種々の変形が可能である。例えば、本発明は、プレーヤ本体部を具えたオーディオプレーヤに限らず、従来のヘッドホンに実施することも可能である。
【図面の簡単な説明】
【図１】本発明に係るオーディオプレーヤの斜視図である。
【図２】該オーディオプレーヤを頭部に装着した状態を示す側面図である。
【図３】本発明に係るオーディオプレーヤの他の実施例を示す側面図である。
【図４】従来のヘッドホンを頭部に装着した状態を示す側面図である。
【図５】従来の他のヘッドホンを頭部に装着した状態を示す測面図である。
【符号の説明】
(１)  プレーヤ本体部
(２)  挟圧アーム
(20)  ネックバンド
(21)  挟圧部
(３)  イヤーホン
【図１】
0003953279.tif 000002
【図２】
0003953279.tif 000003
【図３】
0003953279.tif 000004
【図４】
0003953279.tif 000005
【図５】
0003953279.tif 000006